【手続補正書】
【提出日】平成17年5月23日(2005.5.23)
【手続補正１】
【補正対象書類名】特許請求の範囲
【補正対象項目名】全文
【補正方法】変更
【補正の内容】
【特許請求の範囲】
【請求項１】
少なくとも１つの架橋性サーマルインターフェース成分と、
前記サーマルインターフェース成分に結合した少なくとも１つのコンプライアントな繊維状インターフェース成分と、
を含む層状インターフェース材料。
【請求項２】
前記少なくとも１つのサーマルインターフェース成分が、少なくとも１種類のゴム化合物、少なくとも１種類のアミン樹脂、および少なくとも１種類の熱伝導性フィラーを含む、請求項１に記載の層状インターフェース材料。
【請求項３】
前記少なくとも１つのサーマルインターフェース成分が少なくとも１種類の相転移材料をさらに含む、請求項２に記載の層状インターフェース材料。
【請求項４】
前記少なくとも１種類のゴム化合物が少なくとも１つの末端ヒドロキシ基を含む、請求項２に記載の層状インターフェース材料。
【請求項５】
前記少なくとも１種類のゴム化合物が少なくとも１種類の飽和化合物を含む、請求項２に記載の層状インターフェース材料。
【請求項６】
前記少なくとも１種類のゴム化合物が少なくとも１種類の飽和化合物をさらに含む、請求項４に記載の層状インターフェース材料。
【請求項７】
前記少なくとも１種類のゴム化合物が、水素化ポリアルキルジエンモノオール、水素化ポリアルキルジエンジオール、あるいはそれらの組み合わせまたは混合物を含む、請求項４に記載の層状インターフェース材料。
【請求項８】
前記水素化ポリアルキルジエンモノオールが水素化ポリブタジエンモノオールを含む、請求項７に記載の層状インターフェース材料。
【請求項９】
前記水素化ポリアルキルジエンジオールが水素化ポリブタジエンジオールを含む、請求項７に記載の層状インターフェース材料。
【請求項１０】
前記少なくとも１種類のアミン樹脂がメラミン樹脂を含む、請求項２に記載の層状インターフェース材料。
【請求項１１】
前記メラミン樹脂がアルキル化メラミン樹脂を含む、請求項１０に記載の層状インターフェース材料。
【請求項１２】
前記アルキル化メラミン樹脂がブチル化メラミン樹脂を含む、請求項１１に記載の層状インターフェース材料。
【請求項１３】
前記少なくとも１種類の熱伝導性フィラーが、金属粉末、窒化ホウ素化合物、またはそれらの組み合わせを含む、請求項２に記載の層状インターフェース材料。
【請求項１４】
前記金属粉末が、アルミニウム粉末、銀粉末、銅粉末、またはそれらの組み合わせを含む、請求項１３に記載の層状インターフェース材料。
【請求項１５】
前記少なくとも１種類の相転移材料がワックスを含む、請求項３に記載の層状インターフェース材料。
【請求項１６】
前記ワックスがパラフィンワックスを含む、請求項１５に記載の層状インターフェース材料。
【請求項１７】
少なくとも１種類の触媒材料をさらに含む、請求項２に記載の層状インターフェース材料。
【請求項１８】
少なくとも１種類の触媒材料をさらに含む、請求項３に記載の層状インターフェース材料。
【請求項１９】
前記コンプライアントな繊維状インターフェース成分が複数の熱伝導性フロック繊維を含む、請求項１に記載の層状インターフェース材料。
【請求項２０】
前記複数の熱伝導性フロック繊維が接着材料中に埋め込まれる、請求項１９に記載の層状インターフェース材料。
【請求項２１】
前記複数の熱伝導性フロック繊維が実質的に垂直方向に埋め込まれ、前記複数の繊維の一部が前記接着材料の外側に延在する、請求項２０に記載の層状材料。
【請求項２２】
前記複数の熱伝導性フロック繊維が、前記複数の繊維の一部の間に封入材料を含み、前記複数の繊維が前記封入材料の外側に延在する、請求項２１に記載の層状材料。
【請求項２３】
前記複数の熱伝導性フロック繊維が、炭素、グラファイト、金属、セラミック、伝導性ポリマー、ダイヤモンド、またはそれらの組み合わせを含む、請求項１９に記載の層状材料。
【請求項２４】
前記複数の熱伝導性フロック繊維が炭素を含む、請求項２３に記載の層状材料。
【請求項２５】
前記複数の熱伝導性フロック繊維の長さが少なくとも約０．０００５インチである、請求項１９に記載の層状材料。
【請求項２６】
前記複数の熱伝導性フロック繊維の長さが少なくとも約０．００１インチである、請求項２５に記載の層状材料。
【請求項２７】
前記複数の熱伝導性フロック繊維の長さが少なくとも約０．０１インチである、請求項２６に記載の層状材料。
【請求項２８】
前記複数の熱伝導性フロック繊維の長さが少なくとも約０．１インチである、請求項２７に記載の層状材料。
【請求項２９】
前記複数の熱伝導性フロック繊維の長さが少なくとも約１インチである、請求項２８に記載の層状材料。
【請求項３０】
前記複数の熱伝導性フロック繊維の直径が少なくとも約３μｍである、請求項１９に記載の層状材料。
【請求項３１】
前記複数の熱伝導性フロック繊維の直径が少なくとも約３０μｍである、請求項３０に記載の層状材料。
【請求項３２】
前記複数の熱伝導性フロック繊維の直径が少なくとも約３００μｍである、請求項３２に記載の層状材料。
【請求項３３】
前記封入剤がゲル材料を含む、請求項１９に記載の層状材料。
【請求項３４】
前記ゲル材料が、シリコンゲル、スプレーガスケット材料、またはそれらの組み合わせを含む、請求項３３に記載の層状材料。
【請求項３５】
前記複数の熱伝導性繊維の熱伝導率が少なくとも約２５Ｗ／ｍＫである、請求項１９に記載の層状材料。
【請求項３６】
請求項１に記載の層状インターフェース材料を含む層状部品。
【請求項３７】
請求項１に記載の層状インターフェース材料を含む電子部品。
【請求項３８】
請求項２に記載の層状インターフェース材料を含む層状部品。
【請求項３９】
請求項２に記載の層状インターフェース材料を含む電子部品。
【請求項４０】
請求項３に記載の層状インターフェース材料を含む層状部品。
【請求項４１】
請求項３に記載の層状インターフェース材料を含む電子部品。
【請求項４２】
請求項３に記載の層状インターフェース材料を含むテープ。
【請求項４３】
架橋性サーマルインターフェース成分を提供することと、
コンプライアントな繊維状インターフェース成分を提供することと、
前記サーマルインターフェース成分を前記コンプライアントな繊維状インターフェース成分と物理的に結合させることと、
を含む層状インターフェース材料の製造方法。
【請求項４４】
少なくとも１種類の飽和ゴム化合物を提供することと、
少なくとも１種類のアミン樹脂を提供することと、
前記少なくとも１種類の飽和ゴム化合物と前記少なくとも１種類のアミン樹脂を架橋させて、架橋ゴム−樹脂混合物を生成することと、
少なくとも１種類の熱伝導性フィラーを前記架橋ゴム−樹脂混合物に加えることと、
湿潤剤を前記架橋ゴム−樹脂混合物に加えることと、
を含む、請求項４３に記載の架橋性サーマルインターフェース成分を形成する方法。
【請求項４５】
少なくとも１種類の相転移材料を前記架橋ゴム−樹脂混合物に加えることをさらに含む、請求項４４に記載の方法。
【請求項４６】
請求項４５に記載の方法により製造される液体サーマルインターフェース組成物。
【請求項４７】
請求項４５に記載の方法により製造される固体サーマルインターフェース組成物。
【請求項４８】
請求項４５に記載のサーマルインターフェース成分を含むテープ。
【請求項４９】
ある長さを有する熱伝導性繊維を提供することと、
基材を提供することと、
接着剤を前記基材に適用することと、
前記繊維を前記基材にフロック加工することと、
前記繊維の一部が前記接着剤の外側に延在するように、前記繊維を前記接着剤に埋め込むことと、
前記接着剤を硬化させることと、
前記接着剤の外側に延在する繊維と、前記繊維の自由端の下との間に硬化性封入剤を配置することと、
前記繊維と、前記繊維の間の封入剤とを、前記接着剤内部に圧縮することと、
圧縮状態のまま前記封入剤を硬化させることと、
を含む、請求項４３に記載のコンプライアントな繊維状インターフェース成分の製造方法。